(57)【特許請求の範囲】
【請求項１】
建築躯体に取付金具が固定され、該取付金具にサイディングが取り付けられており、該取付金具以外の箇所では該建築躯体とサイディングとの間に間隙があいている外壁に対して、仕上げ層が施工された外壁構造であって、
該間隙が増大することを防止するためにねじ部材がサイディングを通して前記建築躯体にねじ込まれている外壁構造において、
該サイディングの上下方向の中央よりも上側又は下側の位置を貫通して該建築躯体にねじ部材がねじ込まれていることを特徴とする外壁構造。
【請求項２】
建築躯体に取付金具が固定され、該取付金具にサイディングが取り付けられており、該取付金具以外の箇所では該建築躯体とサイディングとの間に間隙があいている外壁に対して、仕上げ層が施工された外壁構造であって、
該間隙が増大することを防止するためにねじ部材がサイディングを通して前記建築躯体にねじ込まれている外壁構造において、
該ねじ部材の頭部と該サイディングの表面とが離反不能に接着されていることを特徴とする外壁構造。
【請求項３】
請求項１又は２において、該サイディングの上下方向の長さをＬとすると、該ねじ部材は、該サイディングの上下方向の中央よりも上側又は下側に１／３Ｌ〜１／６Ｌ離れた位置にねじ込まれていることを特徴とする外壁構造。
【請求項４】
請求項１ないし３のいずれか１項において、ワッシャを介して前記ねじ部材がサイディングを通して建築躯体にねじ込まれており、
該ワッシャは細長い形状を有しており、該ワッシャの長手方向が該サイディングの上下方向を向くように該ねじ部材によって取り付けられていることを特徴とする外壁構造。
【請求項５】
請求項４において、該ワッシャのねじ部材挿通孔は中央よりも長手方向の一端側に偏った位置に設けられており、該ワッシャは長手方向の他端側がサイディングの中央側を向くようにして該ねじ部材によって取り付けられていることを特徴とする外壁構造。
【請求項６】
請求項１ないし５のいずれか１項において、ネットが該ねじ部材によって該サイディングに取り付けられており、該ネットに接着剤が塗着されており、該接着剤の上に該仕上げ層が施工されていることを特徴とする外壁構造。
【発明の詳細な説明】
【技術分野】
【０００１】
建築躯体に取付金具が固定され、該取付金具にサイディングが取り付けられており、該取付金具以外の箇所では該建築躯体とサイディングとの間に間隙があいている外壁に対して、仕上げ層が施工された外壁構造に関する。
【背景技術】
【０００２】
柱、間柱、胴縁等の建築躯体に外壁材が施工されてなる既設壁面を改修するために、該既設壁面に対して新規タイルを施工することは周知である。
【０００３】
例えば、特開２００３−２３９５００号には、横木に施工された既設サイディングにネットを張り、ねじ部材をネット、サイディングを介して横木にねじ込んでネットを止着し、該ネットに下地調整材及び接着剤を塗布し、その上からタイルを張り付ける外壁材の施工方法が開示されている。
【０００４】
また、外壁材を取付金具によって固定することは周知である。例えば、特開平６−１４６５３６号には、外壁に取付金具が釘打ち固定されており、該取付金具のフック片に外装材の上端ないし下端が係止された外装材の取付構造が開示されている。
【特許文献１】特開２００３−２３９５００号
【特許文献２】特開平６−１４６５３６号
【発明の開示】
【発明が解決しようとする課題】
【０００５】
上記特開２００３−２３９５００号のように、既設壁面に対して新たにタイルを施工する場合、タイルの施工後に既設壁面の裏側が乾燥して収縮することにより、既設壁面が表側に凸反りするという問題がある。かかる凸反りを防止するために、ビスによって既設壁面の外壁材を柱等に固定することが考えられる。
【０００６】
しかしながら、上記特開平６−１４６５３６号のように外壁材が取付金具によって柱等に固定されてなる既存壁面は、柱等と外壁材との間に取付金具が配置されているため、これら柱等と外壁材との間に隙間があいている。このため、該既存壁面にビスをねじ込みすぎると外壁材が柱等の側に凹反りするという問題がある。
【０００７】
本発明は、建築躯体とサイディングとの間に間隙があいている外壁に対して、仕上げ層が施工された外壁構造であって、サイディングの凸反り及び凹反りを十分に小さくすることが可能な外壁構造を提供することを目的とする。
【課題を解決するための手段】
【０００８】
請求項１の外壁構造は、建築躯体に取付金具が固定され、該取付金具にサイディングが取り付けられており、該取付金具以外の箇所では該建築躯体とサイディングとの間に間隙があいている外壁に対して、仕上げ層が施工された外壁構造であって、該間隙が増大することを防止するためにねじ部材がサイディングを通して前記建築躯体にねじ込まれている外壁構造において、該サイディングの上下方向の中央よりも上側又は下側の位置を貫通して該建築躯体にねじ部材がねじ込まれていることを特徴とするものである。
【０００９】
請求項２の外壁構造は、建築躯体に取付金具が固定され、該取付金具にサイディングが取り付けられており、該取付金具以外の箇所では該建築躯体とサイディングとの間に間隙があいている外壁に対して、仕上げ層が施工された外壁構造であって、該間隙が増大することを防止するためにねじ部材がサイディングを通して前記建築躯体にねじ込まれている外壁構造において、該ねじ部材の頭部と該サイディングの表面とが離反不能に接着されていることを特徴とするものである。
【００１０】
請求項３の外壁構造は、請求項１又は２において、該サイディングの上下方向の長さをＬとすると、該ねじ部材は、該サイディングの上下方向の中央よりも上側又は下側に１／３Ｌ〜１／６Ｌ離れた位置にねじ込まれていることを特徴とするものである。
【００１１】
請求項４の外壁構造は、請求項１ないし３のいずれか１項において、ワッシャを介して前記ねじ部材がサイディングを通して建築躯体にねじ込まれており、該ワッシャは細長い形状を有しており、該ワッシャの長手方向が該サイディングの上下方向を向くように該ねじ部材によって取り付けられていることを特徴とするものである。
【００１２】
請求項５の外壁構造は、請求項４において、該ワッシャのねじ部材挿通孔は中央よりも長手方向の一端側に偏った位置に設けられており、該ワッシャは長手方向の他端側がサイディングの中央側を向くようにして該ねじ部材によって取り付けられていることを特徴とするものである。
【００１３】
請求項６の外壁構造は、請求項１ないし５のいずれか１項において、ネットが該ねじ部材によって該サイディングに取り付けられており、該ネットに接着剤が塗着されており、該接着剤の上に該仕上げ層が施工されていることを特徴とするものである。
【００１４】
この仕上げ層の施工方法としては、建築躯体に取付金具が固定され、該取付金具にサイディングが取り付けられており、該取付金具以外の箇所では該建築躯体とサイディングとの間に間隙があいている外壁に対して、仕上げ層を施工する方法であって、該間隙が増大することを防止するためにねじ部材をサイディングを通して前記建築躯体にねじ込み、次いで仕上げ層を施工する方法において、該サイディングの上下方向の中央よりも上側又は下側の位置を貫通して該建築躯体にねじ部材をねじ込み、該サイディングに該仕上げ層を施工する仕上げ層の施工方法が好適である。
【００１５】
また、この仕上げ層の施工方法としては、建築躯体に取付金具が固定され、該取付金具にサイディングが取り付けられており、該取付金具以外の箇所では該建築躯体とサイディングとの間に間隙があいている外壁に対して、仕上げ層を施工する方法であって、該間隙が増大することを防止するためにねじ部材をサイディングを通して前記建築躯体にねじ込み、次いで仕上げ層を施工する方法において、該ねじ部材の頭部と該サイディングの表面とを離反不能に接着し、該サイディングに該仕上げ層を施工する仕上げ層の施工方法も好適である。
【００１６】
これらの仕上げ層の施工方法において、該サイディングの上下方向の長さをＬとすると、該サイディングの上下方向の中央よりも上側又は下側に１／３Ｌ〜１／６Ｌ離れた位置に該ねじ部材をねじ込むことが好ましい。
【００１７】
これらの仕上げ層の施工方法において、ワッシャを介して前記ねじ部材がサイディングを通して建築躯体にねじ込まれており、該ワッシャは細長い形状を有しており、該ワッシャの長手方向が該サイディングの上下方向を向くようにして、該ワッシャを該ねじ部材によって取り付けることが好ましい。
【００１８】
これらの仕上げ層の施工方法において、該ワッシャのねじ部材挿通孔は中央よりも長手方向の一端側に偏った位置に設けられており、該ワッシャを長手方向の他端側がサイディングの中央側を向くようにして該ねじ部材によって取り付けることが好ましい。
【００１９】
これらの仕上げ層の施工方法において、ネットを該ねじ部材によって該サイディングに取り付け、該ネットに接着剤を塗着し、該接着剤の上に該仕上げ層を施工することが好ましい。
【発明の効果】
【００２０】
本発明の外壁構造（請求項１）は、サイディングが建築躯体にねじ部材によって固定されているため、サイディングの凸反りが防止される。また、該サイディングの上下方向の中央よりも上側又は下側の位置をねじ部材によって固定しているため、サイディングの中央の位置を固定する場合と比べて、ねじ部材をねじ込みすぎたときにサイディングが撓み難くなり、これにより、サイディングの凹反りが防止される。
【００２１】
また、本発明の外壁構造（請求項２）にあっても、サイディングが建築躯体にねじ部材によって固定されているため、サイディングの凸反りが防止される。
【００２２】
なお、サイディングに仕上げ層を施工する場合、ねじ部材のねじ込みが適切な場合でも、該ねじ部材の圧縮する力で、サイディングの上下方向の中央付近を凹方向に押さえ付けることにより、壁面が凹反りすることがある。
【００２３】
本発明の外壁構造（請求項２）にあっては、ねじ部材の頭部と該サイディングの表面とが離反不能に接着されているため、サイディングの凹反りも防止される。
【００２４】
本発明において、該サイディングの上下方向の長さをＬとすると、該ねじ部材は、該サイディングの上下方向の中央よりも上側又は下側に１／３Ｌ〜１／６Ｌ離れた位置にねじ込まれていることが好ましい。この場合、サイディングが建築躯体にねじ部材によって固定されることによりサイディングの凸反りが防止されると共に、ねじ部材のねじ込み過ぎによるサイディングの凹反りがより確実に防止される。
【００２５】
本発明において、ワッシャの長手方向が該サイディングの上下方向を向くようにして、ワッシャがねじ部材によって取り付けられていることが好ましい。この場合、サイディングの中央側がワッシャによって押さえられるため、サイディングの凸反りがより確実に防止される。
【００２６】
本発明において、該ワッシャのねじ部材挿通孔は中央よりも長手方向の一端側に偏った位置に設けられており、該ワッシャは長手方向の他端側がサイディングの中央側を向くようにして該ねじ部材によって取り付けられていることが好ましい。この場合、サイディングの中央側の凸反りがより確実に防止される。
【００２７】
本発明において、ネットがねじ部材によってサイディングに取り付けられ、該ネットに接着剤が塗着され、該接着剤の上に該仕上げ層が施工されていることが好ましい。この場合、仕上げ層がサイディングに強固に張り付けられる。
【発明を実施するための最良の形態】
【００２８】
以下、図面を参照して本発明の実施の形態を詳細に説明する。
【００２９】
第１図は既存外壁の斜視図、第２図は第１図のII−II線に沿う縦断面図、第３図は第２図の取付金具の斜視図、第４図〜第６図はタイルの施工方法を示す斜視図である。
【００３０】
まず、第１図〜第３図を用いて、既存外壁の構成を説明する。
【００３１】
第１図、第２図に示す通り、柱２及び間柱３に取付金具１０が釘３２によって固定され、該取付金具１０のフック片２４にサイディング４が係止されることにより、既存外壁１が形成されている。
【００３２】
第３図に示す通り、この取付金具１０は、柱２又は間柱３の前面に対面する第１ベース部１４及び第２ベース部１６を備え、この第２ベース部１６から前方に水平片１８、上向斜片２０及び下向斜片２２よりなるフック片２４が突設されたものである。
【００３３】
第１ベース部１４と第２ベース部１６との間に、斜め下向きの第１斜面部２６が設けられると共に、第２ベース部１６の下端に第２斜面部２８が設けられており、第２ベース部１６が柱２又は間柱３の前面から所定距離だけ浮いた状態にて施工されるよう構成されている。
【００３４】
第１ベース部１４及び第１斜面部２６にはそれぞれ釘孔３０が設けられている。この釘孔３０を通して釘３２（釘以外のビス等であっても良い。）を柱２又は間柱３に打ち込むことにより、該取付金具１０が柱２又は間柱３に固定されている。
【００３５】
サイディング４は、その下端の前面側に下端実部４ｌを有すると共に、上端の背面側に上端実部４ｕを有している。
【００３６】
この下端実部４ｌを前記フック片２４に被せるように上段側のサイディング４Ａを取付金具１０に支承させる。
【００３７】
下段側のサイディング４Ｂの上端は、上端実部４ｕを下向斜片２２の背面側に差し込むことにより面出入り方向に拘束される。
【００３８】
次に、第４図〜第６図を用いて、この既存外壁１にタイルを施工する工程を説明する。
【００３９】
第４図に示すように、隣り合うサイディング４，４同士の継ぎ目に跨ってジョイントテープ５を貼り付ける。この実施の形態では、該ジョイントテープ５は、帯状の不織布の一方の面に粘着材料としてブチルゴムを付着ないし含浸させた片面粘着テープであり、厚み方向及び面方向の双方に弾力性（クッション性）を有している。なお、この実施の形態では、第４図の通り、サイディング４は左右方向に多列に且つ上下方向に多段に配設されており、ジョイントテープ５は、左右方向に隣接するサイディング４，４同士の継ぎ目に沿ってのみ設けられているが、上下に隣接するサイディング４，４同士の継ぎ目に沿っても設けられてもよい。
【００４０】
次に、第５図のように、外壁１の前面に両面粘着テープ４０を付着させる。この両面粘着テープ４０は、帯状の不織布の両面に粘着材料としてブチルゴムを付着ないし含浸させてなるものである。その後、合成繊維製のネット６を外壁に重ね合わせ、該両面粘着テープ４０に付着させる。
【００４１】
次いで、ワッシャ９及び皿ビス８によって該ネット６を外壁１に固定する。
【００４２】
サイディング４の上下方向の中央よりも上側又は下側の位置に、このビス８をねじ込む。このビス８は、該サイディング４を貫通して該柱２又は間柱３にねじ込まれる。
【００４３】
サイディング４の上下方向の長さをＬとすると、このビス８は、該サイディング４の上下方向の中央よりも上側又は下側に１／３Ｌ〜１／６Ｌ離れた位置Ｈにねじ込まれていることが好ましい。Ｈが１／６Ｌ以上であると、ビスをねじ込み過ぎてもサイディングはより撓み難いため、サイディング４の凹反りがより確実に防止される。Ｈが１／３以下であると、撓みの生じ易い上下方向の中央寄りの位置がビスによって押さえ付けられるため、サイディング４の凸反りがより確実に防止される。このＨの値は１／４が最も仕上がりとしては好適である。
【００４４】
これらビス８の頭部、ワッシャ７及びサイディング４の前面を接着剤によって接着する。これにより、サイディング４が凹反りすることがより確実に防止される。
【００４５】
このネット６の目開きは５〜２０ｍｍ程度が好適である。
【００４６】
ワッシャ７は、このネット６の目開きよりも大きい直径を有した略円盤形状のものである。このワッシャ７の中央部にビス挿通孔が設けられている。
【００４７】
次に、第６図のように、該ネット６を塗り込めるようにしてタイル接着用の弾性接着剤４１を塗着する。この弾性接着剤４１としては、変性エポキシ系あるいは変性シリコン系接着剤等を用いることができる。
【００４８】
その後、この弾性接着剤層４１の上に、仕上げ層としてタイル４２を押し当てて接着する。その後、必要に応じ目地詰めする。
【００４９】
このようにしてタイル張りされた外壁は、凸反り及び凹反りの小さい美麗なタイル壁となる。
【００５０】
この実施の形態では、隣り合うサイディング４，４の継ぎ目に跨ってクッション性を有するジョイントテープ５が設けられているので、温度変化等により各サイディング４が膨張・収縮し、隣り合うサイディング４，４同士がずれた場合でも、このずれによってタイル４２に加えられる応力が該ジョイントテープ５によって吸収されるため、タイル４２の割れや剥離等を防止することができる。
【００５１】
また、このジョイントテープ５を介してネット６を仮留めしておくことができるので、ビス留め作業性が大幅に向上する。
【００５２】
上記実施の形態ではワッシャを円形にしたが、これに限定されるものではない。例えば、第８図のように、長方形であり、長辺方向の一端側に偏った位置にビス孔９ａが設けられたワッシャ９Ａを用いてもよい。このワッシャ９Ａをビス９によって取り付ける場合、第７図のように、該ワッシャ９Ａの長辺方向における他端側がサイディング４の中央側を向くようにして取り付けるのが好ましい。この場合、サイディング４が中央側までワッシャ９Ａによって押さえられるため、サイディング４の凸反りがより確実に防止される。
【００５３】
このワッシャ９Ａの長辺Ｙと短辺Ｘとの比（Ｙ：Ｘ）は７：１〜２：１程度であることが好ましい。また、ワッシャ９Ａの長辺方向の中央からビス孔９ａまでの距離Ｚは０〜４／１０Ｙであることが好ましい。
【００５４】
なお、ワッシャは長方形に限定されるものではなく、例えば楕円形等であってもよい。
【００５５】
本実施の形態では、サイディングを柱及び間柱に固定したが、胴縁等の他の建築躯体に固定してもよい。
【００５６】
本実施の形態では、仕上げ層としてタイルを施工したが、変性シリコン、エポキシウレタン、アクリルエマルジョン、ポリウレタン等の塗り材を施工してもよい。
【００５７】
本実施の形態では、ねじ部材としてビスを用いたが、サイディングを建築躯体に固定するものであればこれに限定されるものではなく、例えばアンカーボルトであってもよい。
【図面の簡単な説明】
【００５８】
【図１】既存外壁の斜視図である。
【図２】第１図のII−II線に沿う縦断面図である。
【図３】第２図の取付金具の斜視図である。
【図４】タイルの施工方法を示す斜視図である。
【図５】タイルの施工方法を示す斜視図である。
【図６】タイルの施工方法を示す斜視図である。
【図７】別の実施の形態に係るタイルの施工方法を示す斜視図である。
【図８】第７図のワッシャの斜視図である。
【符号の説明】
【００５９】
１  既存外壁
２  柱
３  間柱
４  サイディング
８  ビス
９，９Ａ  ワッシャ
１０  取付金具
４１  接着剤
４２  タイル
【図１】
0004655989.tif 000002
【図２】
0004655989.tif 000003
【図３】
0004655989.tif 000004
【図４】
0004655989.tif 000005
【図５】
0004655989.tif 000006
【図６】
0004655989.tif 000007
【図７】
0004655989.tif 000008
【図８】
0004655989.tif 000009